(57)【要約】【課題】点検精度の低下を抑止しつつ、ゴム製品を効率良く点検でき、かつ補修や交換の要否を的確に判断できる点検情報管理システムを提供することを目的とする。【解決手段】本発明の点検情報管理システムは、ゴム製品を点検する作業員が所持する携帯端末と、上記携帯端末とネットワーク通信可能な情報管理サーバーとを備えるゴム製品の点検情報管理システムであって、上記情報管理サーバーが、複数の点検項目情報を蓄積するデータベースを有し、上記ゴム製品の管理番号を含む管理識別情報を登録する管理識別情報登録手段と、上記管理識別情報に基づき、上記データベースの点検項目情報から上記ゴム製品の個別点検リストを決定する個別点検リスト決定手段と、上記個別点検リストを上記携帯端末に送信する個別点検リスト送信手段とを備える。【選択図】図１
2019028874.tif 000002
【特許請求の範囲】
【請求項１】
ゴム製品を点検する作業員が所持する携帯端末と、上記携帯端末とネットワーク通信可能な情報管理サーバーとを備えるゴム製品の点検情報管理システムであって、
上記情報管理サーバーが、
複数の点検項目情報を蓄積するデータベースを有し、
上記ゴム製品の管理番号を含む管理識別情報を登録する管理識別情報登録手段と、
上記管理識別情報に基づき、上記データベースの点検項目情報から上記ゴム製品の個別点検リストを決定する個別点検リスト決定手段と、
上記個別点検リストを上記携帯端末に送信する個別点検リスト送信手段と
を備える点検情報管理システム。
【請求項２】
上記管理識別情報が、上記ゴム製品を使用する顧客情報を含む請求項１に記載の点検情報管理システム。
【請求項３】
上記情報管理サーバーが、
上記個別点検リストを送信した携帯端末から上記ゴム製品の管理番号と共に点検結果情報を受信する点検結果情報受信手段と、
上記点検結果情報受信手段により受信した点検結果情報を顧客別に集計する点検結果情報集計手段とを備える請求項２に記載の点検情報管理システム。
【請求項４】
上記携帯端末又は上記情報管理サーバーが、少なくとも１以上の点検項目について、その点検項目に起因するゴム製品の寿命を上記点検結果情報に基づいて予測する寿命予測解析手段を備え、
上記情報管理サーバーが、上記寿命予測解析手段の予測値に基づき上記個別点検リストを修正する個別点検リスト修正手段を備える請求項３に記載の点検情報管理システム。
【請求項５】
上記個別点検リスト決定手段が、上記点検項目の優先順位を決定する請求項１から請求項４のいずれか１項に記載の点検情報管理システム。
【請求項６】
上記データベースが、少なくとも１の点検項目に対し複数の異なる作業手順情報を蓄積し、
上記個別点検リスト決定手段が、上記複数の作業手順のうちの１つを選択する請求項１から請求項５のいずれか１項に記載の点検情報管理システム。
【請求項７】
ゴム製品を点検する作業員が所持する携帯端末と、上記携帯端末とネットワーク通信可能な情報管理サーバーとを用いるゴム製品の点検情報管理方法であって、
上記情報管理サーバーが、
複数の点検項目情報を蓄積するデータベースを有し、
上記ゴム製品の管理番号を含む管理識別情報を登録する管理識別情報登録ステップと、
上記管理識別情報に基づき、上記データベースの点検項目情報から上記ゴム製品の個別点検リストを決定する個別点検リスト決定ステップと、
上記個別点検リストを上記携帯端末に送信する個別点検リスト送信ステップと
を備える点検情報管理方法。
【請求項８】
ゴム製品を点検する作業員が所持する携帯端末と、上記携帯端末とネットワーク通信可能な情報管理サーバーとを用いるゴム製品の点検情報管理方法をコンピュータに実行させるためのプログラムであって、
上記情報管理サーバーが、複数の点検項目情報を蓄積するデータベースを有し、
上記情報管理サーバーを
上記ゴム製品の管理番号を含む管理識別情報を登録する管理識別情報登録手段と、
上記管理識別情報に基づき、上記データベースの点検項目情報から上記ゴム製品の個別点検リストを決定する個別点検リスト決定手段と、
上記個別点検リストを上記携帯端末に送信する個別点検リスト送信手段と
して機能させるためのプログラム。
【発明の詳細な説明】
【技術分野】
【０００１】
本発明は、点検情報管理システム、点検情報管理方法及びプログラムに関する。
【背景技術】
【０００２】
コンベヤベルト、ライニング材、ゴム堰といったゴム製品は、使用を続けると、摩耗や傷等により徐々に劣化し、寿命に至る。このため、ゴム製品は一定以上の劣化が進むと補修や交換を必要とする。この補修や交換の要否を確認するため、特に大型のゴム製品で定期的な点検が行われている。
【０００３】
ゴム製品が寿命に至る要因には、摩耗、剥離、傷など複数のモードがあり、かつその発生場所もゴムの表面、裏面、側面、接合面等様々である。このため、ゴム製品においては、点検項目数が多く、それぞれの項目について詳細な基準に基づいて精度良く効率的に点検を行う必要がある。
【０００４】
個々の点検項目について、精度良く、かつ効率的に点検を行う手段としては、例えば携帯端末により撮影された画像を解析し、表面劣化の度合いを示すスコアを算出することで、点検作業と点検結果の記録とを行う点検情報管理システムが提案されている（特開２０１６−４２８５号公報参照）。
【０００５】
しかしながら、ゴム製品においては、上述のように点検項目数が多いため、ゴム製品が寿命に至る要因を決定することも容易ではなく、個々の検査項目の検査効率を上げてもなお、検査には時間を要する。このため、ゴム製品の点検においては、さらなる点検の効率化が求められている。
【先行技術文献】
【特許文献】
【０００６】
【特許文献１】特開２０１６−４２８５号公報
【発明の概要】
【発明が解決しようとする課題】
【０００７】
本発明は、以上のような事情に基づいてなされたものであり、点検精度の低下を抑止しつつ、ゴム製品を効率良く点検でき、かつ補修や交換の要否を的確に判断できる点検情報管理システム、点検情報管理方法及びプログラムを提供することを目的とする。
【課題を解決するための手段】
【０００８】
本発明者らは、ゴム製品が寿命に至る要因は、そのゴム製品の使用環境に強く依存することに着目した。そして、本発明者らは、そのゴム製品の使用環境に応じた個別点検リストを用いて寿命に至る主要因となり得る項目を重点的に点検することで、点検精度の低下を抑止しつつ、ゴム製品を効率良く点検でき、かつ補修や交換の要否を的確に判断できることを見出し、本発明を完成させた。
【０００９】
すなわち、上記課題を解決するためになされた発明は、ゴム製品を点検する作業員が所持する携帯端末と、上記携帯端末とネットワーク通信可能な情報管理サーバーとを備えるゴム製品の点検情報管理システムであって、上記情報管理サーバーが、複数の点検項目情報を蓄積するデータベースを有し、上記ゴム製品の管理番号を含む管理識別情報を登録する管理識別情報登録手段と、上記管理識別情報に基づき、上記データベースの点検項目情報から上記ゴム製品の個別点検リストを決定する個別点検リスト決定手段と、上記個別点検リストを上記携帯端末に送信する個別点検リスト送信手段とを備える。
【００１０】
当該点検情報管理システムは管理識別情報に基づきゴム製品の個別点検リストを決定する個別点検リスト決定手段を備えるので、当該点検情報管理システムを用いることで、点検リストをゴム製品の管理識別情報に応じて変更することができる。従って、当該点検情報管理システムを用いることで、検査対象のゴム製品の寿命に至る主要因となり得る項目を重点的に点検するように点検リストを構成できるので、点検精度の低下を抑止しつつ、ゴム製品を効率良く点検でき、かつ補修や交換の要否を的確に判断できる。
【００１１】
上記管理識別情報が、上記ゴム製品を使用する顧客情報を含むとよい。本発明者らは、ゴム製品の使用環境は、主として顧客依存であることを知得している。従って、個別点検リストの決定に用いる管理識別情報に顧客情報を含めることで、ゴム製品の寿命に至る主要因となり得る項目選定の精度を高めることができるので、補修や交換の要否の判断精度が向上する。なお、顧客情報とは、例えば顧客名のみを指すものではなく、ゴム製品が適用される設備名称、設備の仕様、設備の使用環境、又はこれらの組合せであってもよい。
【００１２】
上記情報管理サーバーが、上記個別点検リストを送信した携帯端末から上記ゴム製品の管理番号と共に点検結果情報を受信する点検結果情報受信手段と、上記点検結果情報受信手段により受信した点検結果情報を顧客別に集計する点検結果情報集計手段とを備えるとよい。この点検結果情報集計手段により過去の点検結果を顧客別に集計できるので、ゴム製品の寿命に至る主要因を顧客別に的確に把握することができる。このため、ゴム製品の寿命に至る主要因となり得る項目選定の精度をさらに高めることができるので、補修や交換の要否の判断精度がさらに向上する。
【００１３】
上記携帯端末又は上記情報管理サーバーが、少なくとも１以上の点検項目について、その点検項目に起因するゴム製品の寿命を上記点検結果情報に基づいて予測する寿命予測解析手段を備え、上記情報管理サーバーが、上記寿命予測解析手段の予測値に基づき上記個別点検リストを修正する個別点検リスト修正手段を備えるとよい。寿命予測解析手段により特定の点検項目の寿命を予測することで、その点検項目がゴム製品の寿命に至る主要因となり得るか否か判断することができる。この予測に基づき、個別点検リスト修正手段が個別点検リストを修正するので、点検結果情報集計手段により集計された過去の点検結果情報のみでは予測し切れない点検対象のゴム製品固有の寿命に至る要因を個別点検リストに反映することができる。
【００１４】
上記個別点検リスト決定手段が、上記点検項目の優先順位を決定するとよい。個別点検リスト決定手段が、点検項目の優先順位、すなわち点検順序を決定し、ゴム製品の寿命に至る主要因となる点検項目を重点的に先に点検することで、より確実かつ効率的にゴム製品の寿命の判断を行うことができる。
【００１５】
上記データベースが、少なくとも１の点検項目に対し複数の異なる作業手順情報を蓄積し、上記個別点検リスト決定手段が、上記複数の作業手順のうちの１つを選択するとよい。個別点検リスト決定手段が１つの点検項目に対し複数の作業手順のうちの１つを選択することで、ゴム製品の寿命に至る主要因となると判断される点検項目は詳細点検を行い、ゴム製品の寿命に至る主要因とならないと判断される点検項目は簡易点検を行うというように点検内容を変えることができる。このように点検内容を変えることで、点検精度の低下を抑止しつつ、ゴム製品をさらに効率良く点検できる。
【００１６】
上記課題を解決するためになされた別の発明は、ゴム製品を点検する作業員が所持する携帯端末と、上記携帯端末とネットワーク通信可能な情報管理サーバーとを用いるゴム製品の点検情報管理方法であって、上記情報管理サーバーが、複数の点検項目情報を蓄積するデータベースを有し、上記ゴム製品の管理番号を含む管理識別情報を登録する管理識別情報登録ステップと、上記管理識別情報に基づき、上記データベースの点検項目情報から上記ゴム製品の個別点検リストを決定する個別点検リスト決定ステップと、上記個別点検リストを上記携帯端末に送信する個別点検リスト送信ステップとを備える。
【００１７】
当該点検情報管理方法は管理識別情報に基づきゴム製品の個別点検リストを決定する個別点検リスト決定ステップを備えるので、当該点検情報管理方法を用いることで、点検リストをゴム製品の管理識別情報に応じて変更することができる。従って、当該点検情報管理方法を用いることで、検査対象のゴム製品の寿命に至る主要因となり得る項目を重点的に点検するように点検リストを構成できるので、点検精度の低下を抑止しつつ、ゴム製品を効率良く点検でき、かつ補修や交換の要否を的確に判断できる。
【００１８】
上記課題を解決するためになされたさらに別の発明は、ゴム製品を点検する作業員が所持する携帯端末と、上記携帯端末とネットワーク通信可能な情報管理サーバーとを用いるゴム製品の点検情報管理方法をコンピュータに実行させるためのプログラムであって、上記情報管理サーバーが、複数の点検項目情報を蓄積するデータベースを有し、上記情報管理サーバーを上記ゴム製品の管理番号を含む管理識別情報を登録する管理識別情報登録手段と、上記管理識別情報に基づき、上記データベースの点検項目情報から上記ゴム製品の個別点検リストを決定する個別点検リスト決定手段と、上記個別点検リストを上記携帯端末に送信する個別点検リスト送信手段として機能させる。
【００１９】
当該プログラムは、情報管理サーバーを管理識別情報に基づきゴム製品の個別点検リストを決定する個別点検リスト決定手段として機能させるので、当該プログラムを用いることで、点検リストをゴム製品の管理識別情報に応じて変更することができる。従って、当該プログラムを用いることで、検査対象のゴム製品の寿命に至る主要因となり得る項目を重点的に点検するように点検リストを構成できるので、点検精度の低下を抑止しつつ、ゴム製品を効率良く点検でき、かつ補修や交換の要否を的確に判断できる。
【発明の効果】
【００２０】
以上説明したように、本発明の点検情報管理システム、点検情報管理方法及びプログラムは、点検精度の低下を抑止しつつ、ゴム製品を効率良く点検でき、かつ補修や交換の要否を的確に判断できる。
【図面の簡単な説明】
【００２１】
【図１】本発明の一実施形態に係る点検情報管理システムを示す概略ブロック図である。
【図２】図１の点検情報管理システムの動作手順を示すシーケンス図である。
【図３】図１の点検情報管理システムの携帯端末に表示される個別点検リスト例を示す図である。
【図４】図１の点検情報管理システムの寿命予測解析手段による解析結果例を示すグラフである。
【発明を実施するための形態】
【００２２】
以下、本発明の実施形態について適宜図面を参照しつつ詳説する。
【００２３】
〔点検情報管理システム〕
図１に示す点検情報管理システムは、ゴム製品を点検する作業員が所持する携帯端末１と、上記携帯端末１とネットワーク通信可能な情報管理サーバー２とを備えるゴム製品の点検情報管理システムである。当該点検情報管理システムが管理するゴム製品としては、特に限定されないが、例えばコンベヤベルト、ライニング材、ゴム堰、ゴム製の床材等を挙げることができる。当該点検情報管理システムは、中でも寿命に至る要因の種類が多いコンベヤベルトに特に好適に用いることができる。
【００２４】
＜携帯端末＞
携帯端末１は、記憶手段１１と、表示手段１２と、入力手段１３と、通信手段１４とを主に備える。
【００２５】
携帯端末１としては、例えば公知のスマートフォン、ノートパッド、ノートブックパソコン等を用いることができる。これらの端末では、記憶手段１１は、例えば固定ディスク、リムーバルディスク、半導体メモリ等で構成される。表示手段１２は、例えば液晶ディスプレイにより構成され、入力手段１３は、キーボードや液晶ディスプレイの表面に貼付されたタッチセンサ等のマンマシーンインターフェイルや、カメラ等の撮像装置などで構成される。通信手段１４としては無線ＬＡＮ（ＷｉＦｉ）等が用いられる。また、携帯端末１は例えばＣＰＵで構成される演算処理部（不図示）を有し、記憶手段１１、表示手段１２、入力手段１３、及び通信手段１４は、この演算処理部により制御され、その制御プログラムは、通常、記憶手段１１に格納されている。
【００２６】
＜情報管理サーバー＞
情報管理サーバー２は、携帯端末１とネットワーク通信可能に構成される。情報管理サーバー２は、データベース２０と、記憶手段２１と、管理識別情報登録手段２２と、個別点検リスト決定手段２３と、個別点検リスト送信手段２４と、点検結果情報受信手段２５と、点検結果情報集計手段２６と、寿命予測解析手段２７と、個別点検リスト修正手段２８とを主に備える。
【００２７】
情報管理サーバー２としては、ＣＰＵで構成される演算処理部を有するコンピュータ、例えば公知のパーソナルコンピュータやワークステーション等を用いることができる。このようなコンピュータを用いる場合、情報管理サーバー２のデータベース２０は、例えば固定ディスク、リムーバルディスク、半導体メモリ等に格納される。情報管理サーバー２の記憶手段２１は、例えば固定ディスク、リムーバルディスク、半導体メモリ等で構成される。個別点検リスト送信手段２４及び点検結果情報受信手段２５には、コンピュータが有する無線ＬＡＮ（ＷｉＦｉ）等を用いた機器（通信手段）により行われる。また、管理識別情報登録手段２２、個別点検リスト決定手段２３、個別点検リスト送信手段２４、点検結果情報受信手段２５、点検結果情報集計手段２６、寿命予測解析手段２７、及び個別点検リスト修正手段２８は、プログラムにより演算処理部を各手段として機能させることで実現される。当該プログラムは、通常、記憶手段２１に格納されている。
【００２８】
（データベース）
データベース２０は、複数の点検項目情報を蓄積する。上記点検項目情報は、点検項目と、その作業手順情報とを含む。
【００２９】
点検項目とは、ゴム製品が寿命に至る要因となり得るため必要となる点検の種類を指す。例えばコンベヤベルトを例にとり説明すると、点検項目としては、本体ベルトの摩耗、カット傷、剥離、欠損、硬化、膨潤等を挙げることができる。さらにその発生位置等により、例えば運搬面の摩耗、スカート位置の摩耗、接合面の剥離や摩耗といったようにさらに細分化してもよい。
【００３０】
作業手順情報とは、上述の各点検項目に対して行うべき作業内容を指す。１つの点検項目に対して１つの作業手順情報を蓄積してもよいが、複数の作業手順情報を蓄積してもよい。１つの点検項目に対して複数の作業手順情報を蓄積する場合は、点検の詳細度（精度）の異なるものを格納するとよい。例えば、本体ベルトの摩耗の点検であれば、複数の作業手順情報として、（１）幅方向中央部のベルト厚みの測定、（２）幅方向に異なる３点（中央部、左端、右端）のベルト厚みの測定、（３）幅方向に異なる３点×長さ方向に異なる２点のベルト厚みの測定、とできる。この場合、（１）、（２）、（３）の順に点検の詳細度が上がっている。このように点検の詳細度を上げると点検作業に要する時間も長くなる。そこで、後述する個別点検リスト決定手段２３において、ゴム製品が寿命に至る主要因となり得る点検項目については、詳細度の高い作業手順を選択し、ゴム製品が寿命に至る要因となる可能性が低い点検項目については、詳細度の低い作業手順を選択するとよい。このように詳細度の異なる複数の作業手順情報を格納することで、作業時間の増大を抑止しつつ、点検精度を高めることができる。
【００３１】
（記憶手段）
記憶手段２１は、上述のように当該プログラムを格納する。また、記憶手段２１は、必要に応じて情報管理サーバー２の演算処理部が実行するプログラムの処理に必要となるデータ等を記憶する。
【００３２】
（管理識別情報登録手段）
管理識別情報登録手段２２は、ゴム製品の管理番号及び顧客情報を含む管理識別情報を登録する。この管理番号により点検対象のゴム製品を特定できる。また、顧客情報によりゴム製品を使用する顧客を特定できる。
【００３３】
ここで、顧客を特定するのは、以下の理由による。上述のように本発明者らの知見によれば、ゴム製品が寿命に至る要因は、そのゴム製品の使用環境に強く依存する。また、本発明者らは、ゴム製品の使用環境は、主として顧客依存であることを知得している。従って、個別点検リストの決定に用いる管理識別情報に顧客情報を含めることで、ゴム製品の寿命に至る主要因となり得る項目選定の精度を高めることができるので、補修や交換の要否の判断精度が向上する。
【００３４】
この管理識別情報は、記憶手段２１にデータとして格納される。管理番号と顧客情報とは、セットで登録してもよいが、それぞれ別に登録してもよい。管理番号と顧客情報とを別に登録する場合は、例えば記憶手段２１に格納される管理番号データにポインタを設け、このポインタにより管理番号に対応する顧客情報を紐付けする。このように管理番号と顧客情報とを別に登録することで、複数のゴム製品を使用する顧客に対しても顧客情報を一元管理できるので、管理識別情報のデータ管理が容易となる。顧客情報を紐付けて管理する場合、既に管理識別情報として顧客情報が登録されている場合は、新たに登録を行う必要はなく、登録済みの顧客情報を活用する。
【００３５】
（個別点検リスト決定手段）
個別点検リスト決定手段２３は、管理識別情報登録手段２２により登録された管理識別情報に基づき、上記データベース２０の点検項目情報からゴム製品の個別点検リストを決定する。具体的には、個別点検リスト決定手段２３では、点検対象のゴム製品の管理番号を基に、このゴム製品に対応する顧客情報を参照して顧客を特定する。そして、後述する点検結果集計手段２６により顧客別に集計された点検結果情報から上記点検対象のゴム製品の寿命に至る主要因を特定する。特定された主要因を基に点検項目の優先順位及び複数の作業手順のうちの１つを選択する。このようにしてゴム製品の個別点検リストを決定できる。
【００３６】
上記点検項目の優先順位の決定方法は、特に限定されないが、例えば顧客別に集計された点検結果情報を基に各点検項目についてゴム製品の寿命に至る要因となる確率計算を行い、その計算値の高い順に優先順位を決定する方法を挙げることができる。また、複数の作業手順から１の作業手順を選択する方法としては、特に限定されないが、例えば上記確率計算結果に基づいて選択する方法を挙げることができる。具体的には、上記確率が高い場合に詳細度の高い作業手順を割り付ける。あるいは、予め点検結果情報の解析を行い、顧客ごとに優先順位及び作業手順を決定した個別点検リストを顧客情報として準備しておいてもよい。この場合、個別点検リスト決定手段２３は、特定した顧客に対応する個別点検リストを顧客情報に基づいて選択することとなる。
【００３７】
例えばゴム製品が新規の顧客に使用される場合のように、個別点検リストを決定するための点検結果情報に格納されるべき点検実績が存在しない場合も想定される。このような場合については、例えばゴム製品の構造や仕様から想定される使用状況や、顧客の設置環境情報等から点検結果情報の初期値を設定しておく方法や、予め対応する個別点検リストを準備しておき、個別点検リスト決定手段２３がこの準備された個別点検リストを選択するように構成する方法を用いることができる。
【００３８】
（個別点検リスト送信手段）
個別点検リスト送信手段２４は、個別点検リストを携帯端末１に送信する。送信された個別点検リストは、携帯端末１の通信手段１４を用いて携帯端末１に受信され、例えば携帯端末１の記憶手段１１に記憶される。また、この個別点検リストは、作業員が点検を行う際に、表示手段１２により携帯端末１に表示される。
【００３９】
（点検結果情報受信手段）
点検結果情報受信手段２５は、携帯端末１からゴム製品の管理番号と共に点検結果情報を受信する。具体的には、上記個別点検リストに従って作業員がゴム製品を点検を完了すると、携帯端末１は通信手段１４によってゴム製品の管理番号、点検日時と共に点検結果情報を情報管理サーバー２に送信する。情報管理サーバー２の点検結果情報受信手段２５は、この情報を受け取る。
【００４０】
（点検結果情報集計手段）
点検結果情報集計手段２６は、点検結果情報受信手段２５により受信した点検結果情報を顧客別に集計する。点検結果情報受信手段２５によりゴム製品の管理番号を取得しているので、管理識別情報を参照することで、点検結果情報集計手段２６は、顧客を特定できる。従って、点検結果情報集計手段２６は、顧客別に点検結果情報を集計できる。
【００４１】
上記顧客別の点検結果情報は、管理番号毎に格納される。この管理番号毎に格納された点検結果情報は、後述する寿命予測解析手段２７で参照される。
【００４２】
上記点検結果情報は、ゴム製品の管理番号毎に格納する以外に、顧客ごとに格納される。このとき、同じ顧客の点検結果情報を一括して格納する方法もあるが、グループ化された一群の管理番号を１つの母集団として格納する方法を用いるとよい。顧客によっては複数のゴム製品が使用されることがある。また、ゴム製品を新しいものに更新する場合もある。このように使用環境に一貫性がある場合、他のゴム製品の点検結果情報が、管理対象のゴム製品の個別点検リストを準備する上で有用である。従って、これらの情報は一括して格納することが好ましい。一方、同じ顧客であっても、種類の異なるゴム製品であったり、同じ種類であっても使用環境が全く異なる使われ方をする場合もある。このように同じ顧客であっても使用環境が異なる場合には、分けて管理することが好ましい。従って、顧客のゴム製品の種類や使用環境に応じて、管理番号のグループ化を行い、同じ顧客であってもグループ化された一群の管理番号を１つの母集団として点検結果情報を格納することで、ゴム製品の寿命に至る主要因を顧客別に的確に把握することができる。このため、ゴム製品の寿命に至る主要因となり得る項目選定の精度をさらに高めることができるので、補修や交換の要否の判断精度がさらに向上する。
【００４３】
（寿命予測解析手段）
寿命予測解析手段２７は、少なくとも１以上の点検項目について、点検項目に起因するゴム製品の寿命を上記点検結果情報に基づいて予測する。ゴム製品の点検項目は、例えば本体ベルトの摩耗量のように経年により徐々に増大し、やがて許容値を超えるものが多い。このように数値が経年変化していく点検項目は、点検結果情報に基づいて例えば設置年数に対して線形近似等を行うことにより許容値に至るまでの年数、すなわち点検項目に起因するゴム製品の寿命を予測することができる。寿命予測解析手段２７は、このようにして特定の点検項目に起因するゴム製品の寿命を予測する。
【００４４】
このように寿命予測解析手段２７により特定の点検項目の寿命を予測することで、その点検項目がゴム製品の寿命に至る主要因となり得るか否か判断することができる。
【００４５】
なお、上記点検結果情報には、ゴム製品を設置した時の数値、すなわち初期値を含めるとよい。このように初期値を含めることで、１度でも点検が行われると、少なくとも線形近似が可能となるので、確実に寿命予測を行うことができる。
【００４６】
（個別点検リスト修正手段）
個別点検リスト修正手段２８は、寿命予測解析手段２７の予測値に基づき上記個別点検リストを修正する。具体的には、個別点検リスト修正手段２８は、個別点検リスト中の点検項目の優先順位や作業手順の選択を必要に応じて変更する。
【００４７】
顧客別に集計された点検結果情報は過去の実績であり、個別点検リスト決定手段２３が決定する個別点検リストはこの過去の情報に基づいている。例えば顧客の使用条件やゴム製品の仕様改善等のため、点検対象のゴム製品固有の寿命に至る要因が、点検結果情報集計手段２６により集計された過去の点検結果情報のみでは予測し切れない場合がある。このような場合においても、寿命予測解析手段２７による寿命予測に基づき、個別点検リスト修正手段２８が個別点検リストを修正するので、点検対象のゴム製品固有の寿命に至る要因を個別点検リストに反映することができる。
【００４８】
〔点検情報管理方法〕
次に、点検情報管理方法について図２を用いて説明する。当該点検情報管理方法は、ゴム製品を点検する作業員が所持する携帯端末１と、上記携帯端末１とネットワーク通信可能な情報管理サーバー２とを用いるゴム製品の点検情報管理方法である。上記情報管理サーバー２は、複数の点検項目情報を蓄積するデータベース２０を有している。当該点検情報管理方法は、図１に示す点検情報管理システムを用いて行うことができる。
【００４９】
当該点検情報管理方法は、識別情報管理ステップ（ＳＴＥＰ１）、個別点検リスト決定ステップ（ＳＴＥＰ２）、個別点検リスト送信ステップ（ＳＴＥＰ３）、点検ステップ（ＳＴＥＰ４）、点検結果情報受信ステップ（ＳＴＥＰ５）、点検結果情報集計ステップ（ＳＴＥＰ６）、寿命予測解析ステップ（ＳＴＥＰ７）、個別点検リスト修正ステップ（ＳＴＥＰ８）を主に備える。
【００５０】
（識別情報管理ステップ）
識別情報管理ステップ（ＳＴＥＰ１）では、ゴム製品の管理番号を含む管理識別情報及び顧客情報を登録する。このステップは、管理識別情報登録手段２２により行われる。このステップは、ゴム製品の点検を行う前、例えばゴム製品が顧客に納入された時点で行われる準備ステップである。
【００５１】
このステップでは、少なくとも点検対象のゴム製品を識別するための管理番号の登録が行われ、対応する顧客情報を特定する。顧客情報が他のゴム製品で登録済みである場合は、その情報を参照するように紐付けすればよいが、新規顧客である場合は、顧客情報の登録が合わせて行われる。また、対象とするゴム製品が例えば新製品等であって、必要な点検項目情報がデータベース２０に蓄積されていない場合は、データベース２０の点検項目情報の更新が行われる。
【００５２】
さらに、必要に応じて、点検結果情報を集計するための管理番号のグループ化処理や、点検結果情報の初期値としてのゴム製品を設置した時の数値の登録等を行う。
【００５３】
（個別点検リスト決定ステップ）
個別点検リスト決定ステップ（ＳＴＥＰ２）では、識別情報管理ステップ（ＳＴＥＰ１）で登録した管理識別情報に基づき、上記データベース２０の点検項目情報からゴム製品の個別点検リストを決定する。このステップは、個別点検リスト決定手段２３により行われる。このステップは、例えば図２に示すように作業員が点検作業を行う際に携帯端末１から管理番号を情報管理サーバー２へネットワーク通信を介して送信することで開始することができる。あるいは、識別情報管理ステップを行った際に、続けてこの個別点検リスト決定ステップを行い、後述する個別点検リスト送信ステップにより点検を行う携帯端末１に予め点検リストを送信しておいてもよい。
【００５４】
（個別点検リスト送信ステップ）
個別点検リスト送信ステップ（ＳＴＥＰ３）では、個別点検リストを携帯端末１に送信する。このステップは、個別点検リスト送信手段２４により行われる。
【００５５】
この個別点検リストにより、ゴム製品を点検する作業員はゴム製品の点検作業を行うことができる。
【００５６】
（点検ステップ）
点検ステップ（ＳＴＥＰ４）では、個別点検リストに従って作業員がゴム製品の点検作業を行う。このステップは、携帯端末１を用いて行われる。
【００５７】
作業員は、携帯端末１上で、個別点検リスト送信ステップで受信した個別点検リストを表示手段１２に表示する。この個別点検リストは図３に示すように点検項目と優先順位及び具体的な作業手順を含み、これらが表示手段１２により表示されるので、作業員は上記個別点検リストに従って効率的に点検作業を行うことができる。
【００５８】
点検作業の結果は、入力手段１３により携帯端末１に入力され、記憶手段１１に記録される。この点検結果情報は、例えばベルト厚み等の数値情報、表面の傷の様子等のスケッチや写真の画像データなどを指す。上記画像データは携帯端末１の演算処理部により画像処理することで、傷の数、大きさ等の数値データに変換されてもよい。なお、このデータ変換は後述する点検結果情報受信ステップで画像データを情報管理サーバー２で受信した後に、情報管理サーバー２で実施してもよい。
【００５９】
（点検結果情報受信ステップ）
点検結果情報受信ステップ（ＳＴＥＰ５）では、携帯端末１から上記ゴム製品の管理番号と共に点検結果情報を受信する。このステップは、点検結果情報受信手段２５により行われる。
【００６０】
（点検結果情報集計ステップ）
点検結果情報集計ステップ（ＳＴＥＰ６）では、点検結果情報受信ステップで受信した点検結果情報を顧客別に集計する。このステップは、点検結果情報集計手段２６により行われる。このステップにより過去の点検結果情報に新たな点検結果情報を加えることで、点検結果情報が充実させる。これにより、ゴム製品の寿命に至る主要因を顧客別にさらに的確に把握することができるようになる。
【００６１】
なお、この点検結果情報集計ステップは、寿命予測解析ステップの後や、個別点検リスト修正ステップの後に行うことも可能である。
【００６２】
（寿命予測解析ステップ）
寿命予測解析ステップ（ＳＴＥＰ７）では、少なくとも１以上の点検項目について、その点検項目に起因するゴム製品の寿命を上記点検結果情報に基づいて予測する。このステップは、寿命予測解析手段２７により行われる。
【００６３】
解析結果は、例えば情報管理サーバー２が有する通信手段により携帯端末１に送信され、携帯端末１の表示手段１２により例えば図４のようにグラフ化されて表示される。作業員は、この解析結果を基にして、補修や交換の要否を判断したり、顧客へ報告を行ったりすることができる。なお、図２では解析結果の送信と、後述する個別点検リスト解析ステップでの修正個別点検リストの送信を別々に行う場合を示しているが、個別点検リスト解析ステップでまとめて送信することもできる。
【００６４】
（個別点検リスト修正ステップ）
個別点検リスト修正ステップ（ＳＴＥＰ８）では、上記寿命予測解析ステップでの予測値に基づき個別点検リストを修正する。このステップは、個別点検リスト修正手段２８により行われる。
【００６５】
修正された個別点検リスト（修正個別点検リスト）は、例えば情報管理サーバー２が有する通信手段により携帯端末１に送信され、携帯端末１に格納されている個別点検リストが更新される。この更新された個別点検リストは、次回の点検に用いられる。
【００６６】
〔利点〕
当該点検情報管理システム及び当該点検情報管理方法は、管理識別情報に基づきゴム製品の個別点検リストを決定する個別点検リストを決定するので、当該点検情報管理システム及び当該点検情報管理方法を用いることで、点検リストをゴム製品の管理識別情報に応じて変更することができる。従って、当該点検情報管理システム及び当該点検情報管理方法を用いることで、検査対象のゴム製品の寿命に至る主要因となり得る項目を重点的に点検するように点検リストを構成できるので、点検精度の低下を抑止しつつ、ゴム製品を効率良く点検でき、かつ補修や交換の要否を的確に判断できる。
【００６７】
また、当該点検情報管理システムは、個別点検リスト決定手段が、点検項目の優先順位、すなわち点検順序を決定し、ゴム製品の寿命に至る主要因となる点検項目を重点的に先に点検することで、より確実かつ効率的にゴム製品の寿命の判断を行うことができる。
【００６８】
当該点検情報管理システムは、個別点検リスト決定手段が１つの点検項目に対し複数の作業手順のうちの１つを選択することで、ゴム製品の寿命に至る主要因となると判断される点検項目は詳細点検を行い、ゴム製品の寿命に至る主要因とならないと判断される点検項目は簡易点検を行うというように点検内容を変えることができる。このように点検内容を変えることで、点検精度の低下を抑止しつつ、ゴム製品をさらに効率良く点検できる。
【００６９】
［その他の実施形態］
本発明は上記実施形態に限定されるものではなく、上記態様の他、種々の変更、改良を施した態様で実施することができる。
【００７０】
上記実施形態では、管理識別情報が顧客情報を含む場合について説明したが、顧客情報を含むことは必須の構成要件ではない。管理識別情報が顧客情報を含まない場合でも、例えば管理番号により決まるゴム製品の品番等により個別点検リストを構成することができる。
【００７１】
上記実施形態では、点検情報管理システムが点検結果情報集計手段を備える場合について説明したが、点検結果情報集計手段は必須の構成要件ではなく、省略可能である。点検結果情報集計手段を省略する場合、点検結果情報受信手段も省略することができる。また、点検情報管理方法において、点検結果情報受信ステップ及び点検結果情報集計ステップが省略される。点検情報管理システムが点検結果情報集計手段を備えない場合においても、最新の点検結果情報は反映されていかないものの、すでに登録されている情報に基づいて個別点検リストを構成することができる。
【００７２】
上記実施形態では、点検情報管理システムが個別点検リスト修正手段を備える場合を説明したが、個別点検リスト修正手段は必須の構成要件ではなく、省略可能である。個別点検リスト修正手段を省略する場合は、個別点検リスト決定手段で決定した個別点検リストを継続して用いることとなる。また、点検情報管理方法において、個別点検リスト修正ステップが省略される。
【００７３】
上記実施形態では、点検情報管理システムが寿命予測解析手段を備える場合を説明したが、寿命予測解析手段は必須の構成要件ではなく、省略可能である。寿命予測解析手段は、点検情報管理方法において、寿命予測解析ステップが省略される。なお、個別点検リスト修正手段を合わせて省略してもよいが、例えば個別点検リスト修正手段を点検結果情報の解析により個別点検リストを修正するように構成してもよい。
【００７４】
また、上記実施形態では、情報管理サーバーが寿命予測解析手段を備える場合について説明したが、携帯端末が寿命予測解析手段を備えてもよい。このように構成することで、情報管理サーバーが点検結果情報集計手段を備えず、従って情報管理サーバーが点検結果情報を蓄積していない場合であっても、携帯端末に記憶されている点検情報に基づいて寿命予測解析を行うことができる。また、携帯端末と情報管理サーバーとの間で通信を行う必要がないので、例えば無線通信の電波状況が悪い場合においても寿命予測解析を行うことができる。
【００７５】
上記実施形態では、個別点検リスト決定手段が点検項目の優先順位及び作業手順を決定する場合について説明したが、個別点検リスト決定手段がいずれか一方のみを決定する構成であってもよい。なお、作業手順を決定しない場合、つまり点検項目も優先順位のみを決定する場合、データベースに蓄積される点検項目情報には複数の作業手順情報は不要であり省略できる。
【００７６】
上記実施形態では、複数の作業手順情報として、測定点数を増やす場合を例示したが、複数の作業手順はこれに限定されず、例えば傷の点検において（１）目視による点検、（２）映像解析による点検、といったように測定精度を変えることもできる。
【００７７】
また、個別点検リスト決定手段の決定対象は優先順位及び作業手順には限定されない。例えば、個別点検リスト決定手段は、点検対象のゴム製品の点検項目のうち点検を行わない項目を決定してもよい。
【産業上の利用可能性】
【００７８】
以上説明したように、本発明の点検情報管理システム、点検情報管理方法及びプログラムは、点検精度の低下を抑止しつつ、ゴム製品を効率良く点検でき、かつ補修や交換の要否を的確に判断できる。
【符号の説明】
【００７９】
１  携帯端末
１１  記憶手段
１２  表示手段
１３  入力手段
１４  通信手段
２  情報管理サーバー
２０  データベース
２１  記憶手段
２２  管理識別情報登録手段
２３  個別点検リスト決定手段
２４  個別点検リスト送信手段
２５  点検結果情報受信手段
２６  点検結果情報集計手段
２７  寿命予測解析手段
２８  個別点検リスト修正手段
【図１】
2019028874.tif 000003
【図２】
2019028874.tif 000004
【図３】
2019028874.tif 000005
【図４】
2019028874.tif 000006